(57)【要約】【課題】不使用時に邪魔になりにくく、布団などの重量の嵩むものを干すときにも安定性に優れる物干し台を提供する。【解決手段】竿受け杆が水平方向に回動自在となされ、竿受け部が竿受け杆に回動自在に設けられ、相対する支柱の間隔が物干し竿の外径よりも大間隔となされ、相対する支柱間に物干し竿を保持する保持孔が設けられた保持部が設けられたもので、物干し台の不使用時物干し竿を物干し杆に設けられた竿受け部に載せたまま回動させ、物干し竿と竿受け杆が略平行となる位置にすることにより、物干し竿による空間の占有がなくなる。又、重量の嵩むものを干すときに物干し竿と竿受け杆が平行位置に近い位置で用いられると物干し台の転倒の可能性が低くなる。又、支柱間に設けられた保持孔に物干し竿を架設すれば、更に安定性が増し、転倒のおそれがない。【選択図】        図１
2004180766.tif 000002
【特許請求の範囲】
【請求項１】
一対の支柱が基台上に立設され、相対する支柱の適宜箇所が連結具により連結され、支柱上端に竿受け杆が水平方向に延設され、竿受け杆に竿受け部が設けられてこの竿受け部に物干し竿が支持されるようになされた物干し台において、竿受け杆が水平方向に回動自在となされ、竿受け部が竿受け杆に回動自在に設けられ、相対する支柱の間隔が物干し竿の外径よりも大間隔となされ、相対する支柱間に物干し竿を保持する保持孔が設けられた保持部が設けられたことを特徴とする物干し台。
【請求項２】
基台が合成樹脂製中空体からなり、この中空部に砂及び／又は水が充填されるようになされたことを特徴とする請求項１記載の物干し台。
【発明の詳細な説明】
【０００１】
【発明の属する技術分野】
本発明は、物干し台に関し、特に布団などの重量物を干すのに好適で、不使用時の収納性に優れた物干し台に関する。
【０００２】
【従来の技術】
【特許文献１】実開平４−１１６９９２号公報
【特許文献２】実開平６−５８８９５号公報
従来、物干し竿支持して洗濯物を干すための物干し台として、コンクリート製の基台上に隣接して２本の支柱を立設し、この支柱の上端に竿受け杆が水平方向に延設された物干し台が知られている。例えば実開平４−１１６９９２号公報には台石上に２本の支柱が立設され、この支柱の上端が水平方向に曲折され、竿受け杆となせれた物干し台が提案されている。又、実開平６−５８８９５号公報において、本出願人は、２本の支柱が隣接して支持台上に支持され、支柱の適宜箇所が連結具により連結され、支柱上端部に竿受け杆が横方向に突設されてなり、上記連結具は弾性を有する素材で製せられ、支柱の外周面に沿う内周面を具えた２つの環体が、それぞれの軸方向が平行となるようにその胴部で連結され、該連結部には、連結方向に対して直角方向に該連結部を分断する間隙が形成され、且つ該間隙を開閉する緊締具が装着されてなる物干し台を提案している。
【０００３】
【発明が解決しようとする課題】
しかしながら上記の如き物干し台においては、不使用時に物干し竿を竿受け杆に掛けたままにすると物干し竿が空間を占有するため、物干し竿を竿受け杆から外さねば邪魔になるという問題があった。又、布団などの重量の嵩むものを干すときには、竿受け杆に架けられた物干し竿に干すと物干し台が転倒し易いという問題があった。
【０００４】
そこで本発明者は従来の欠点に鑑み鋭意研究の結果、不使用時に邪魔になりにくく、布団などの重量の嵩むものを干すときにも安定性に優れる物干し台を提供するものである。
【０００５】
【課題を解決するための手段】
本発明請求項１記載の物干し台は、一対の支柱が基台上に立設され、相対する支柱の適宜箇所が連結具により連結され、支柱上端に竿受け杆が水平方向に延設され、竿受け杆に竿受け部が設けられてこの竿受け部に物干し竿が支持されるようになされた物干し台において、竿受け杆が水平方向に回動自在となされ、竿受け部が竿受け杆に回動自在に設けられ、相対する支柱の間隔が物干し竿の外径よりも大間隔となされ、相対する支柱間に物干し竿を保持する保持孔が設けられた保持部が設けられたもので、物干し台の不使用時物干し竿を物干し杆に設けられた竿受け部に載せたまま回動させ、物干し竿と竿受け杆が略平行となる位置にすることにより、物干し竿による空間の占有がなくなる。又、重量の嵩むものを干すときに物干し竿と竿受け杆が平行位置に近い位置で用いられると物干し台の転倒の可能性が低くなる。又、支柱間に設けられた保持孔に物干し竿を架設すれば、更に安定性が増し、転倒のおそれがない。
【０００６】
又、本発明請求項２記載の物干し台は、基台が合成樹脂製中空体からなり、この中空部に砂及び／又は水が充填されるようになされたもので、合成樹脂製中空体を地表に配設した後支柱を立設し、その後砂及び又は水をこの合成樹脂製中空体に充填すればよいので、物干し台の配置の時基台が軽量であり、配置が容易である。
【０００７】
【発明の実施の形態】
以下、図面を参照しながら本発明に付いて説明する。
図１は本発明物干し台の実施形態の一例を示す斜視図である。図に於いてａは支柱であり、合成樹脂製中空体からなる基台５上に適宜間隔をおいて立設されている。夫々の支柱の上端には竿受け杆３が水平方向に突出するように設けられている。竿受け杆３の上面には竿受け部４が設けられている。
【０００８】
支柱は基台５の上面に適宜間隔をおいて設けられた支持孔に下端部が挿入されて基台５上に立設されている。支柱上端と支柱の中間部は連結具７で連結されている。支柱は支柱大１と支柱小２から成り、支柱大１は大径の管体からなる下部支柱１１内にこの下部支柱１１の内径より小径の上部支柱１２が出し入れ自在に挿入されて、支柱係止部の係止ねじ６により、係止されている。この係止ねじ６を緩めることにより、支柱大１は伸縮自在となされている。
【０００９】
支柱はステンレス鋼管やアルミニウム合金管や鋼管などの金属管が好適に用いられるが、その表面は防錆や表面加飾のために鍍金や塗装あるいは合成樹脂コーティングなどの適宜処理が施される。
【００１０】
支柱大１の上端にはＬ形の連結具７を介して竿受け杆３が設けられている。竿受け杆３には竿受け部４が回動自在に取り付けられている。支柱大１の上部支柱１２は下部支柱１１に対して、出し入れ自在であると共に回動自在となされ、係止ねじ６を緩めることにより、竿受け杆３の方向を任意の方向に向けることができる。
【００１１】
支柱小２の上端には、回転部を介して竿受け杆３が支柱小２に対して回動可能に設けられている。回転部は係止ねじ６により回転が規制されており、この係止ねじ６を緩めることにより、竿受け杆３は回動自在となされる。
【００１２】
竿受け杆３はステンレス鋼管やアルミニウム合金管や鋼管などの金属管が好適に用いられるが、その表面は防錆や表面加飾のために鍍金や塗装あるいは合成樹脂コーティングなどの適宜処理が施される。竿受け杆３に設けられている竿受け部４は、ポリプロピレンやＡＢＳ樹脂などの合成樹脂から成型されたものが好適に用いられるが、これに限るものではなく適宜材料が用いられればよい。竿受け部４は円形で、物干し竿の外径より大径となされ、内面の下部に物干し竿の外径より稍小径の係合部４１が設けられている。係合部４１の左右側壁は弾性を有する弾性壁から成り、物干し竿が押し込まれると物干し竿を左右から挟持するようになされている。
【００１３】
基台５はポリエチレンなどの合成樹脂をブロー成型などの手段で加工して作製された合成樹脂製の中空体で、その上面には支柱が立設される支柱嵌合孔５１が適宜間隔で設けられると共に、水や砂などを中空部に充填するための充填孔５２が設けられている。この充填孔５２には充填した水や砂が流れ出さないように蓋体５３が設けられている。
【００１４】
【発明の効果】
上述の如く、本発明請求項１記載の物干し台は、一対の支柱が基台上に立設され、相対する支柱の適宜箇所が連結具により連結され、支柱上端に竿受け杆が水平方向に延設され、竿受け杆に竿受け部が設けられてこの竿受け部に物干し竿が支持されるようになされた物干し台において、竿受け杆が水平方向に回動自在となされ、竿受け部が竿受け杆に回動自在に設けられ、相対する支柱の間隔が物干し竿の外径よりも大間隔となされ、相対する支柱間に物干し竿を保持する保持孔が設けられた保持部が設けられたもので、物干し台の不使用時物干し竿を物干し杆に設けられた竿受け部に載せたまま回動させ、物干し竿と竿受け杆が略平行となる位置にすることにより、物干し竿による空間の占有がなくなり、邪魔にならない。又、重量の嵩むものを干すときに物干し竿と竿受け杆が平行位置に近い位置で用いられると物干し台の転倒の可能性が低くなる。又、支柱間に設けられた保持孔に物干し竿を架設すれば、更に安定性が増し、転倒のおそれがない。
【００１５】
又、本発明請求項２記載の物干し台は、基台が合成樹脂製中空体からなり、この中空部に砂及び／又は水が充填されるようになされたもので、合成樹脂製中空体を地表に配設した後支柱を立設し、その後砂及び又は水をこの合成樹脂製中空体に充填すればよいので、物干し台の配置の時基台が軽量であり、配置が容易である。
【図面の簡単な説明】
【図１】本発明の実施形態の一例を示す斜視図である。
【符号の説明】
ａ    支柱
１    支柱大
１１  下部支柱
１２  上部支柱
２    支柱小
３    竿受け杆
４    竿受け部
４１  係合部
５    基台
５１  支柱嵌合孔
５２  充填孔
５３  蓋体
６    係止ねじ
７    連結具
【図１】
2004180766.tif 000003